(57)【要約】      （修正有）【課題】ポンプ自動制御の効果が得られ、ランニングコストの節減と、製造コストの低減を達成できるポンプ制御手段の改良構造を提供する。【解決手段】ポンプ１と、ポンプに接続する周辺機器４と、周辺機器の方向、位置、もしくは動作によって、その作業の状態を判断し、かつ作業関連データを生成する検知手段３と、検知手段及びポンプとデータリンクして、検知手段の生成した作業関連データに基づいてポンプを制御する制御装置２とを含んでなる。ポンプは吸引、もしくは加圧によって液体の移動、又は気体の圧縮を行い、または気体を押し圧して物体に気体を充填する機械装置であり、周辺機器は気圧、又は液圧駆動の工具であるのが好ましい。【選択図】図１
0003196719.tif 000002
【実用新案登録請求の範囲】
【請求項１】
ポンプと、該ポンプに接続する周辺機器と、該周辺機器の方向、位置、もしくは動作によって、その作業の状態を判断し、かつ該作業関連データを生成する検知手段と、該検知装置及び該ポンプとデータリンクして、該検知手段の生成した該作業関連データに基づいて該ポンプを制御する制御装置とを含んでなることを特徴とするポンプ制御手段の改良構造。
【請求項２】
前記ポンプが吸引、もしくは加圧によって液体の移動、又は気体の圧縮を行い、または気体を押し圧して物体に気体を充填する機械装置であることを特徴とする請求項１に記載のポンプの制御手段の改良構造。
【請求項３】
前記ポンプがエアコンプレッサーであることを特徴とする請求項２に記載の制御手段の改良構造。
【請求項４】
前記制御装置か、又は該検知手段が少なくとも１以上の外部接続電源に接続して電力を得て、かつ該外部接続電源が一般の電源、工業用電源、もしくは電池などを含むことを特徴とする請求項１に記載のポンプの制御手段の改良構造。
【請求項５】
前記周辺機器が気圧、又は液圧駆動の工具であることを特徴とする請求項１に記載のポンプの制御手段の改良構造。
【請求項６】
前記工具がエアブラシか、プレーガンか、エアガンか、医療用カテーテルであることを特徴とする請求項５に記載のポンプの制御手段の改良構造。
【請求項７】
前記検知手段が少なくとも１以上の感知領域を具えて該周辺機器が該感知領域に対応する位置に存在しているか判断し、作業関連データを生成することを特徴とする請求項１に記載のポンプの制御手段の改良構造。
【請求項８】
前記検知手段が、マイクロスイッチか、赤外線センサか、光学センサであることを特徴とする請求項１に記載のポンプの制御手段の改良構造。
【請求項９】
前記検知手段が磁気センサと該周辺機器に設けた磁性部材であって、磁性センサと磁性部材との組み合わせによって該周辺機器の位置を判断することを特徴とする請求項１に記載のポンプの制御手段の改良構造。
【請求項１０】
前記検知手段が無線感知技術によって該周辺機器が特定の位置に存在するか判断することを特徴とする請求項１に記載のポンプの制御手段の改良構造。
【請求項１１】
前記検知手段がＲＦＩＤと該周辺機器に設けた認識部材であって、ＲＦＩＤと認識部材との組み合わせによって該周辺機器の位置を判断することを特徴とする請求項１０に記載のポンプの制御手段の改良構造。
【請求項１２】
前記検知手段が該周辺機器の移動する方向、又は動作の方式に基づいて該ポンプの動作を変更することを特徴とする請求項１に記載のポンプの制御手段の改良構造。
【請求項１３】
前記検知手段が方向検出センサか、もしくは画像ロケーターであることを特徴とする請求項１２に記載のポンプの制御手段の改良構造。
【請求項１４】
前記周辺機器の作業の状態が稼働状態か非稼働状態であることを特徴とする請求項１に記載のポンプの制御手段の改良構造。
【請求項１５】
前記周辺機器が稼働状態にある場合、該制御装置が該ポンプを制御して起動させ、逆の場合も同様に該制御装置が該ポンプを制御することを特徴とする請求項１４に記載のポンプの制御手段の改良構造。
【請求項１６】
前記検知手段が少なくとも１以上の感知領域を具えて該周辺機器が該感知領域に対応する位置に存在しているか判断して、該周辺機器が稼働状態であるか非稼働状であるか、作業関連データを生成することを特徴とする請求項１４に記載のポンプの制御装置の改良構造。
【請求項１７】
前記検知手段が無線感知技術を応用して、該周辺機器が該感知領域に対応する位置に存在しているか判断し、該周辺機器が稼働状態であるか判断することを特徴とする請求項１４に記載のポンプの制御装置の改良構造。
【請求項１８】
前記ポンプが該作業関連データに基づき異なる流体の流量、又は異なる流体の圧力、又は異なる流体の方向を提供することを特徴とする請求項１に記載のポンプの制御装置の改良構造。
【請求項１９】
前記ポンプと該検知手段、又は制御装置との間が無線通信技術によってリンクすることを特徴とする請求項１に記載のポンプの制御装置の改良構造。
【請求項２０】
前記ポンプ該検知手段、もしくは該制御装置との間が物理的な伝導連結によってリンクし、かつ該検知手段と該制御装置とが同一のハウジング内に収納されるか、もしくはハウジング上で物理的に連結するか、又はハウジングに連結する部材を用いることを特徴とする請求項１に記載のポンプの制御装置の改良構造。
【考案の詳細な説明】
【技術分野】
【０００１】
この考案は周辺機器に接続して駆動するポンプの制御装置の改良構造に関する。
【背景技術】
【０００２】
目下比較的多く採用されているポンプ制御システムは、ポンプ周辺の機械設備とポンプ自身の圧力を利用してなされている。係る方式は、ポンプの運転時と運転を停止した時において圧力に差のある状況を利用したものであって、ポンプ周辺の機械設備が停止している状態でポンプの圧力が所定の数値まで上昇した場合は、ポンプに設けられた圧力検知手段が係る状況を検知して電気信号を出力し、該電気信号に基づきポンプの運転を停止するとともに、ポンプ周辺の機械設備を運転している状態でポンプの圧力が所定の数値まで下降した場合は、ポンプに設けられた圧力検知手段が係る状況を検知して電気信号を出力し、該電気信号に基づきポンプの運転を起動する。
【０００３】
前掲の制御方式は、受け入れることができるものの、理想的な制御方式であるとは言えない。係る方式には幾つかの欠点が存在する。即ち、係る方式は、ポンプ制御システムん０システム全体に気体の漏れがない状態を最も理想的な状態とし、係る状態において、最も好ましい作動を達成する。但し、斯様な理想の状態を達成するためには多くのコストを必要とし、しかも気体の漏れを厳密に防ごうとすると、気体の流量に影響を与えるのみならず、騒音を発生させることにもなり、ポンプの効果を十分に得ることができなくなるか、もしくは使用上の不便を招く。
【０００４】
また、上述する制御方式は、運用する上で制限を受ける、即ち、従来のポンプ制御システムにおいて圧力差が明らかでない場合、制御が難しくなる。
【考案の概要】
【考案が解決しようとする課題】
【０００５】
この考案は、ポンプ周辺の機械設備を操作することで、ポンプ自動制御の効果が得られ、かつ節電などのランニングコストの節減と、製造コストの低減を達成し、使用上便利なポンプ制御手段の改良構造を提供することを課題とする。
【課題を解決するための手段】
【０００６】
そこで、本考案者は従来のポンプの制御装置に見られる欠点に鑑み鋭意研究を重ねた結果、ポンプと、該ポンプに接続する周辺機器と、該周辺機器の方向、位置、もしくは動作によって、その作業の状態を判断し、かつ該作業関連データを生成する検知手段と、該検知装置及び該ポンプとデータリンクして、該検知手段の生成した該作業関連データに基づいて該ポンプを制御する制御装置とを含んでなるポンプ制御手段の改良構造によって課題を解決でできる点に着眼し、係る知見に基づいて本考案を完成させた。
【０００７】
以下この考案について説明する。請求項１に記載するポンプ制御手段の改良構造は、ポンプと、該ポンプに接続する周辺機器と、該周辺機器の方向、位置、もしくは動作によって、その作業の状態を判断し、かつ該作業関連データを生成する検知手段と、該検知装置及び該ポンプとデータリンクして、該検知手段の生成した該作業関連データに基づいて該ポンプを制御する制御装置とを含んでなる。
【０００８】
請求項２に記載するポンプ制御手段の改良構造は、請求項１におけるポンプが吸引、もしくは加圧によって液体の移動、又は気体の圧縮を行い、または気体を押し圧して物体に気体を充填する機械装置である。
【０００９】
請求項３に記載するポンプの制御手段の改良構造は、請求項２におけるポンプがエアコンプレッサーである。
【００１０】
請求項４に記載する制御手段の改良構造は、請求項１における制御装置か、又は該検知手段が少なくとも１以上の外部接続電源に接続して電力を得て、かつ該外部接続電源が一般の電源、工業用電源、もしくは電池などを含む。
【００１１】
請求項５に記載するポンプの制御手段の改良構造は、請求項１における周辺機器が気圧、又は液圧駆動の工具である。
【００１２】
請求項６に記載するポンプの制御手段の改良構造は、請求項５における工具がエアブラシか、プレーガンか、エアガンか、医療用カテーテルである。
【００１３】
請求項５に記載するポンプの制御手段の改良構造は、請求項１における検知手段が少なくとも１以上の感知領域を具えて該周辺機器が該感知領域に対応する位置に存在しているか判断し、作業関連データを生成する。
【００１４】
請求項６に記載するポンプの制御手段の改良構造は、請求項１における検知手段が、マイクロスイッチか、赤外線センサか、光学センサである。
【００１５】
請求項９に記載するポンプの制御手段の改良構造は、請求項１における検知手段が磁気センサと該周辺機器に設けた磁性部材であって、磁性センサと磁性部材との組み合わせによって該周辺機器の位置を判断する。
【００１６】
請求項１０に記載するポンプの制御手段の改良構造は、請求項１における検知手段が無線感知技術によって該周辺機器が特定の位置に存在するか判断する。
【００１７】
請求項１１に記載するポンプの制御手段の改良構造は、請求項１０における検知手段がＲＦＩＤと該周辺機器に設けた認識部材であって、ＲＦＩＤと認識部材との組み合わせによって該周辺機器の位置を判断する。
【００１８】
請求項１２に記載するポンプの制御手段の改良構造は、請求項１における検知手段が該周辺機器の移動する方向、又は動作の方式に基づいて該ポンプの動作を変更する。
【００１９】
請求項１３に記載するポンプの制御手段の改良構造は、請求項１２における検知手段が方向検出センサか、もしくは画像ロケーターである。
【００２０】
請求項１４に記載するポンプの制御手段の改良構造は、請求項１における前記周辺機器の作業の状態が稼働状態か非稼働状態である。
【００２１】
請求項１５に記載するポンプの制御手段の改良構造は、請求項１４における周辺機器が稼働状態にある場合、該制御装置が該ポンプを制御して起動させ、逆の場合も同様に該制御装置が該ポンプを制御する。
【００２２】
請求項１６に記載するポンプの制御手段の改良構造は、請求項１４における検知手段が少なくとも１以上の感知領域を具えて該周辺機器が該感知領域に対応する位置に存在しているか判断して、該周辺機器が稼働状態であるか非稼働状であるか、作業関連データを生成する。
【００２３】
請求項１７に記載するポンプの制御装置の改良構造は、請求項１４における検知手段が無線感知技術を応用して、該周辺機器が該感知領域に対応する位置に存在しているか判断し、該周辺機器が稼働状態であるか判断する。
【００２４】
請求項１８に記載するポンプの制御装置の改良構造は、請求項１におけるポンプが該作業関連データに基づき異なる流体の流量、又は異なる流体の圧力、又は異なる流体の方向を提供する。
【００２５】
請求項１９に記載するポンプの制御装置の改良構造は、請求項１におけるポンプと該検知手段、又は制御装置との間が無線通信技術によってリンクする。
【００２６】
請求項２０に記載するポンプの制御装置の改良構造は、請求項１におけるポンプ該検知手段、もしくは該制御装置との間が物理的な伝導連結によってリンクし、かつ該検知手段と該制御装置とが同一のハウジング内に収納されるか、もしくはハウジング上で物理的に連結するか、又はハウジングに連結する部材を用いる。
【考案の効果】
【００２７】
この考案によるポンプの制御装置の改良構造は、節電などのランニングコストの節減と、製造コストの低減を達成するのみならず、装置の使用環境に合わせて感知手段を選択することができ、使用上便利であり、かつ好ましい作業効果が得られるという利点を有する。
【図面の簡単な説明】
【００２８】
【図１】この考案によるポンプの制御装置の改良構造を示したブロック図である。
【図２】この考案における検知手段に赤外線センサを用いた実施の形態を示したブロック図である。
【図３】この考案における検知手段に光学センサを用いた実施の形態を示したブロック図である。
【図４Ａ】この考案における検知手段に磁気センサを用いた実施の形態を示したブロック図である。
【図４Ｂ】この考案における検知手段にＲＦＩＤを用いた実施の形態を示したブロック図である。
【図５Ａ】この考案における検知手段に有線の方向検出センサを用いた実施の形態を示したブロック図である。
【図５Ｂ】この考案における検知手段に無線の方向検出センサを用いた実施の形態を示したブロック図である。
【図６】この考案における検知手段に画像ロケーターを用いた実施の形態を示したブロック図である。
【考案を実施するための形態】
【００２９】
この考案は、ポンプ周辺の機械設備を操作することで、ポンプ自動制御の効果が得られ、かつ節電などのランニングコストの節減と、製造コストの低減を達成し、使用上便利なポンプ制御手段の改良構造を提供するものであって、ポンプと、該ポンプに接続する周辺機器と、該周辺機器の方向、位置、もしくは動作によって、その作業の状態を判断し、かつ該作業関連データを生成する検知手段と、該検知装置及び該ポンプとデータリンクして、該検知手段の生成した該作業関連データに基づいて該ポンプを制御する制御装置とを含んでなる。係るポンプ制御手段の改良構造の構造と特徴を説明するために、具体的な実施例を挙げ、図面を参照にして以下に詳述する。
【実施例】
【００３０】
図１から図６に開示するように、この考案によるポンプの制御システムは、ポンプ１と、周辺機器４と、検知手段３と、制御装置２とを含んでなる。
【００３１】
周辺機器４はポンプ１に連通して流体の流動を制御する。周辺機器４は空圧、もしくは液圧駆動の工具であって、例えばエアブラシ、スプレーガン、エアガン、医療用カテーテルなどである。また、ポンプ１は吸引、もしくは加圧によって液体の移動、又は気体の圧縮を行い、または気体を押し圧して物体に気体を充填する、例えばエアコンプレッサーなどの機械装置である。
【００３２】
また、ポンプ１は、有線、又は無線方式で検知手段３と制御装置２と接続する。さらに、ポンプ１と、制御装置２と、検知手段３とは、少なくとも１以上の外部接続電源５から電力を得る。図面では制御装置２に外部接続電源５が接続する形態を開示するが、但しこれに限定しない。外部接続電源５には、一般の電源、工業用電源、もしくは電池などを含む。
【００３３】
検知手段３は、マイクロスイッチか、赤外線センサか、光学センサか、磁気センサ及び磁性部材か、ＲＦＩＤ(Radio Frequency Identification)と認識手段か、方向検出センサか、もしくは画像ロケーターの内の任意の一つであって、周辺機器４のシフトする方向、所在する位置、作業の方式を検知して作動の状態を判定するとともに、該作業に対応するデータを生成して制御装置２に出力する。ポンプ１は、該作業に対応するデータに基づき異なる流体の流量、流体の圧力、もしくは流体の流動方向を提供する。即ち、制御装置２は検知手段３が生成した作業に関するデータによってポンプ１の制御、作動の状態の変更を達成する。
【００３４】
また、上述する作業の状態は、稼働状態であっても、非稼働状態であってもよい。即ち、周辺機器４が稼働状態であれば、制御装置２はポンプ１を起動し、その逆無も然り。
【００３５】
また、ポンプ１、検知手段３と、もしくは制御装置２との間は物理的な伝導連結とし、かつ検知手段３と制御装置２とは同一のハウジング内に収納してもよい。もしくはハウジング上で物理的に連結してもよく、又はハウジングに連結する部材を用いてもよい。さらに、ポンプ１と検知手段３、もしくは制御装置２とは無線通信技術を応用してリンクしてもよい。
【００３６】
図１において実線で物理的接続を表わし、点線で無線、もしくは有線のデータ通信接続を表わす。また、制御装置２はが外部接続電源５に接続する。
【００３７】
以上から明らかなように、周辺機器４において作動の方式を変更すると検知手段３が周辺機器４のシフトの方向、所在する位置、動作の方式を検知して作業のデータを生成し、該データを制御装置２に提供する。制御装置２は該データに基づきポンプ１を制御して、例えば電力の供給を中断する、流体を加圧する、流体の流動を変更するなど、ポンプ１の作動の状態を変更し、周辺機器４が必要とする動作を以って稼働できるようにする。
【００３８】
図２に開示するように、検知手段３を赤外線センサとし、周辺機器４を検知手段３の間に置いた場合、赤外線が遮断され検知手段３は制御装置２に信号を出力してポンプ１の電源を切断する。
【００３９】
図３に開示するように、検知手段３を光学センサとし、周辺機器４を検知手段３の光線の照射を遮断する位置に置いて、検知手段３の光線の照射を遮断するようにした場合、光線が遮断され検知手段３は制御装置２に信号を出力してポンプ１の電源を切断する。
【００４０】
図２、図３に開示する形態においては、検知手段３は少なくとも一以上の感知領域を具え、周辺機器４が該感知領域に対応する位置に存在するかを検知し、ここから周辺機器４の作動状態が稼働状態にあるか、非稼働状態にあるか判断して情報を得る。
【００４１】
図４Ａ、図４Ｂに開示するように、検知手段３を磁気センサとし、周辺機器４上に磁性部材を設けた場合、周辺機器４を特定の位置、もしくは検知手段の感知領域に対応する位置に置くと、磁気センサである検知手段３は磁気部材の磁場を感知し、かつ検知手段が制御装置２に信号を出力してポンプ１の電源を切断する。該磁性部材と磁気センサとは、磁場を感知して作動を判断する。よって該磁性部材と磁気センサとは、一定の距離を置いて用いるようにする。
【００４２】
また、検知手段３をＲＦＩＤ(Radio Frequency Identification)と、周辺機器４に設けた認識手段とし、周辺機器４を特定の位置か、ＲＦＩＤの感知領域に対応する位置に置いた場合、ＲＦＩＤである検知手段３と該認識手段とが無線通信を行い、検知手段３が制御装置２に信号を出力してポンプ１の電源を切断する。該認識手段とＲＦＩＤである検知手段３とは無線通信を行うので、一定の距離を置くようにする。
【００４３】
図４、５に開示する形態において、検知手段３は無線感知技術によって周辺機器４が特定の位置に存在するか、もしくは感知領域に対応する位置に存在しているか判断し、周辺機器４の作動状態が稼働状態にあるか、非稼働状態にあるか判断して情報を得る。
【００４４】
図５Ａ、図５Ｂに開示するように、検知手段３を例えばジャイロスコープなどの方向検出センサとした場合、検知油断３は周辺機器４の移動する方向、もしくは角度、速度などの動作の方式を検知し、その結果に基づいてデータを制御装置２に出力し、ポンプ１の作動、流体の流量、流体の圧力、もしくは流体の方向等を変更する。検知手段３は有線、又は無線技術によって制御装置２とデータリンクを行う。
【００４５】
図６に開示するように、検知手段３を画像ロケーターとした場合、感知領域内で周辺機器４の移動方向、所在する位置、または例えば円を描くなどの動作の方式を感知し、その結果に基づいてデータを制御装置２に出力し、ポンプ１の作動、流体の流量、流体の圧力、もしくは流体の方向等を変更する。検知手段３は有線、又は無線技術によって制御装置２とデータリンクを行う。
【符号の説明】
【００４６】
１           ポンプ
２           制御装置
３           検知手段
４           周辺機器
５           外部接続電源
【図１】
0003196719.tif 000003
【図２】
0003196719.tif 000004
【図３】
0003196719.tif 000005
【図４Ａ】
0003196719.tif 000006
【図４Ｂ】
0003196719.tif 000007
【図５Ａ】
0003196719.tif 000008
【図５Ｂ】
0003196719.tif 000009
【図６】
0003196719.tif 000010
【手続補正書】
【提出日】平成27年1月26日(2015.1.26)
【手続補正１】
【補正対象書類名】実用新案登録請求の範囲
【補正対象項目名】請求項１
【補正方法】変更
【補正の内容】
【請求項１】
ポンプと、該ポンプに接続する周辺機器と、該周辺機器の方向、位置、もしくは動作によって、その作業の状態を判断して作業関連データを生成する検知手段と、該検知手段及び該ポンプとデータリンクして、該検知手段の生成した該作業関連データに基づいて該ポンプを制御する制御装置とを含んでなることを特徴とするポンプ制御手段の改良構造。
【手続補正２】
【補正対象書類名】実用新案登録請求の範囲
【補正対象項目名】請求項３
【補正方法】変更
【補正の内容】
【請求項３】
前記ポンプがエアコンプレッサーであることを特徴とする請求項２に記載のポンプの制御手段の改良構造。
【手続補正３】
【補正対象書類名】実用新案登録請求の範囲
【補正対象項目名】請求項４
【補正方法】変更
【補正の内容】
【請求項４】
前記制御装置か、又は該検知手段が少なくとも１以上の外部接続電源に接続して電力を得て、かつ該外部接続電源が電池を含むことを特徴とする請求項１に記載のポンプの制御手段の改良構造。
【手続補正４】
【補正対象書類名】実用新案登録請求の範囲
【補正対象項目名】請求項９
【補正方法】変更
【補正の内容】
【請求項９】
前記検知手段が磁気センサと該周辺機器に設けた磁性部材であって、磁気センサと磁性部材との組み合わせによって該周辺機器の位置を判断することを特徴とする請求項１に記載のポンプの制御手段の改良構造。
【手続補正５】
【補正対象書類名】実用新案登録請求の範囲
【補正対象項目名】請求項１５
【補正方法】変更
【補正の内容】
【請求項１５】
前記周辺機器が稼働状態であっても、非稼働状態であっても、該制御装置が該ポンプを制御することを特徴とする請求項１４に記載のポンプの制御手段の改良構造。
【手続補正６】
【補正対象書類名】実用新案登録請求の範囲
【補正対象項目名】請求項１６
【補正方法】変更
【補正の内容】
【請求項１６】
前記検知手段が少なくとも１以上の感知領域を具えて該周辺機器が該感知領域に対応する位置に存在しているか判断して、該周辺機器が稼働状態であるか非稼働状態であるか、作業関連データを生成することを特徴とする請求項１４に記載のポンプの制御装置の改良構造。
【手続補正７】
【補正対象書類名】実用新案登録請求の範囲
【補正対象項目名】請求項２０
【補正方法】変更
【補正の内容】
【請求項２０】
前記ポンプと該検知手段、もしくは該制御装置との間が物理的な伝導連結によってリンクし、かつ該検知手段と該制御装置とが同一のハウジング内に収納されるか、もしくはハウジング上で物理的に連結するか、又はハウジングに連結する部材を用いることを特徴とする請求項１に記載のポンプの制御装置の改良構造。
【手続補正８】
【補正対象書類名】明細書
【補正対象項目名】０００６
【補正方法】変更
【補正の内容】
【０００６】
そこで、本考案者は従来のポンプの制御装置に見られる欠点に鑑み鋭意研究を重ねた結果、ポンプと、該ポンプに接続する周辺機器と、該周辺機器の方向、位置、もしくは動作によって、その作業の状態を判断して作業関連データを生成する検知手段と、該検知手段及び該ポンプとデータリンクして、該検知手段の生成した該作業関連データに基づいて該ポンプを制御する制御装置とを含んでなるポンプ制御手段の改良構造によって課題を解決でできる点に着眼し、係る知見に基づいて本考案を完成させた。
【手続補正９】
【補正対象書類名】明細書
【補正対象項目名】０００７
【補正方法】変更
【補正の内容】
【０００７】
ポンプと、該ポンプに接続する周辺機器と、該周辺機器の方向、位置、もしくは動作によって、その作業の状態を判断して作業関連データを生成する検知手段と、該検知手段及び該ポンプとデータリンクして、該検知手段の生成した該作業関連データに基づいて該ポンプを制御する制御装置とを含んでなることを特徴とするポンプ制御手段の改良構造。
【手続補正１０】
【補正対象書類名】明細書
【補正対象項目名】００１０
【補正方法】変更
【補正の内容】
【００１０】
請求項４に記載する制御手段の改良構造は、請求項１における制御装置か、又は該検知手段が少なくとも１以上の外部接続電源に接続して電力を得て、かつ該外部接続電源が電池を含む。
【手続補正１１】
【補正対象書類名】明細書
【補正対象項目名】００１５
【補正方法】変更
【補正の内容】
【００１５】
請求項９に記載するポンプの制御手段の改良構造は、請求項１における検知手段が磁気センサと該周辺機器に設けた磁性部材であって、磁気センサと磁性部材との組み合わせによって該周辺機器の位置を判断する。
【手続補正１２】
【補正対象書類名】明細書
【補正対象項目名】００２１
【補正方法】変更
【補正の内容】
【００２１】
請求項１５に記載するポンプの制御手段の改良構造は、請求項１４における周辺機器が稼働状態であっても、非可動状態であっても、該制御装置が該ポンプを制御する。
【手続補正１３】
【補正対象書類名】明細書
【補正対象項目名】００２２
【補正方法】変更
【補正の内容】
【００２２】
請求項１６に記載するポンプの制御手段の改良構造は、請求項１４における検知手段が少なくとも１以上の感知領域を具えて該周辺機器が該感知領域に対応する位置に存在しているか判断して、該周辺機器が稼働状態であるか非稼働状態であるか、作業関連データを生成する。
【手続補正１４】
【補正対象書類名】明細書
【補正対象項目名】００３６
【補正方法】変更
【補正の内容】
【００３６】
請求項２０に記載するポンプの制御装置の改良構造は、請求項１におけるポンプと該検知手段、もしくは該制御装置との間が物理的な伝導連結によってリンクし、かつ該検知手段と該制御装置とが同一のハウジング内に収納されるか、もしくはハウジング上で物理的に連結するか、又はハウジングに連結する部材を用いる。
【手続補正１５】
【補正対象書類名】明細書
【補正対象項目名】００３９
【補正方法】変更
【補正の内容】
【００３９】
この考案は、ポンプ周辺の機械設備を操作することで、ポンプ自動制御の効果が得られ、かつ節電などのランニングコストの節減と、製造コストの低減を達成し、使用上便利なポンプ制御手段の改良構造を提供するものであって、ポンプと、該ポンプに接続する周辺機器と、該周辺機器の方向、位置、もしくは動作によって、その作業の状態を判断して作業関連データを生成する検知手段と、該検知手段及び該ポンプとデータリンクして、該検知手段の生成した該作業関連データに基づいて該ポンプを制御する制御装置とを含んでなる。係るポンプ制御手段の改良構造の構造と特徴を説明するために、具体的な実施例を挙げ、図面を参照にして以下に詳述する。